(57)【要約】【課題】イカの釣り上げ動作（合わせ動作）を容易なものとすることができるイカ釣り用ヤエンが望まれていた。【解決手段】本発明に係るイカ釣り用ヤエンは、釣り針を備える本体部と、本体部に立設した、釣り糸を通す開口を設けた釣り糸通し部を備え、釣り糸通し部は、本体部の中央部でかつ釣り針方向に傾斜して立設するとともに、上方部分の開口を下方部分の開口より小さくした第一釣り糸通し部と、本体部の後方部に立設した第二釣り糸通し部と、第一釣り糸通し部と第二釣り糸通し部の間に立設した第三釣り糸通し部によって構成されており、さらに第三釣り糸通し部に重心を有するものであることを特徴とする。【選択図】図１
2018183086.tif 000002
【特許請求の範囲】
【請求項１】
釣り針を備える本体部と、
前記本体部に立設した、釣り糸を通す開口を設けた釣り糸通し部を備え、
前記釣り糸通し部は、
前記本体部の中央部でかつ前記釣り針方向に傾斜して立設するとともに、上方部分の開口を下方部分の開口より小さくした第一釣り糸通し部と、
前記本体部の後方部に立設した第二釣り糸通し部と、
前記第一釣り糸通し部と前記第二釣り糸通し部の間に立設した第三釣り糸通し部によって構成されており、
さらに前記第三釣り糸通し部に重心を有するものであることを特徴とするイカ釣り用ヤエン。
【請求項２】
前記上方部分の開口は、
釣り糸に設けた係止体を通過させないものであることを特徴とする請求項１に記載のイカ釣り用ヤエン。
【請求項３】
前記第一釣り糸通し部は、
上方部分がさらに立ち上がるように傾斜しているものであることを特徴とする請求項１または請求項２に記載のイカ釣り用ヤエン。
【請求項４】
前記第三釣り糸通し部の立設高さが、
前記第一釣り糸通し部および前記第二釣り糸通し部の立設高さよりも低いことを特徴とする請求項１から請求項３のいずれか一項に記載のイカ釣り用ヤエン。
【請求項５】
前記第三釣り糸通し部の立設位置が、
前記第一釣り糸通し部と前記第二釣り糸通し部の中間位置よりも前記第一釣り糸通し部寄りに位置するものであることを特徴とする請求項１から請求項４のいずれか一項に記載のイカ釣り用ヤエン。
【発明の詳細な説明】
【技術分野】
【０００１】
本発明は、イカ釣り用ヤエンに関するものである。詳しくは、本体部に特定の形態の釣り糸通し部を３つ立設するとともに、特定の釣り糸通し部（第三釣り糸通し部）がヤエンの重心となるように構成することによって、ヤエンをスムースに海中のイカまで投入することができるとともに、従前のイカ釣り用ヤエンよりもイカの釣り上げ動作（合わせ動作）を容易なものとすることができるイカ釣り用ヤエンに関するものである。
【背景技術】
【０００２】
従来からイカを釣り上げるための様々なイカ釣り用ヤエンが開発されている。なお、イカ釣りにおいてヤエンを用いる際は、以下の動作を行って釣り上げることが一般的な動作となっている。
１）まず釣り糸の先に餌魚をつけて海中で泳がせる。
２）次に餌魚に食いついたアタリの強弱によってイカの大きさを予測して各種のヤエンの中から適切な大きさのヤエンを選択して釣り糸に装着して海中に投入する。
３）ヤエンがイカまで到達した後、合わせ動作（釣竿をしゃくり上げたり、上下左右に動かす動作）を行ってヤエンの釣り針をイカに引っ掛けることによって釣り上げる。
【０００３】
ここで、イカの釣り上げ作業（合わせ作業）を容易にすることを目的としたイカ釣り用ヤエンが特許文献１において開示されている。この特許文献１のイカ釣り用ヤエンは、本体部に３つの釣り糸通し部を立設した構造となっており、予め釣り糸に結び目などの係止体を設けておく（特許文献１の段落［０００４］参照）ことによって、ヤエンをイカまで到達させた際、釣り糸を緩めるだけで結び目が釣り糸通し部に係止されることになり、係止位置が支点になって釣り針が上昇して釣り針がイカに引っ掛かり、その結果、従前のヤエンのような合わせ動作を行うことなく、容易にイカを釣り上げることができるとの記載がなされている（特許文献１の段落［０００８］、［０００９］、［図３］、［図４］参照）。
【先行技術文献】
【特許文献】
【０００４】
【特許文献１】特開２００４−３５７６６４号公報
【発明の概要】
【発明が解決しようとする課題】
【０００５】
しかしながら、特許文献１のイカ釣り用ヤエンは、釣り糸通し部が本体部に直立した構造となっていることから、ヤエンを海中に投入してイカに到達させた（図８）後、釣り糸を緩めた場合でも、図９（ａ）、（ｂ）に示すように、結び目がうまく釣り糸通し部に引っかからない場合（特許文献１の図４のような動作をしない場合）があり、イカをうまく釣り上げることができないという課題があった。
【０００６】
また、特許文献１にはヤエン自体の重心に関する記載がないことから、適切な位置にヤエンの重心がない場合には、結び目がうまく釣り糸通し部に係止した場合（係止位置が支点になる場合）であっても、釣り針が上昇せず、イカをうまく釣り上げることができないという課題があった。なお、ヤエンの重心が後方や後端にある場合にはバランスが悪くなることから、釣り糸に装着して海中に投入してもヤエンをイカまで降下させるのに時間を要したり、ヤエンが途中で止まってしまったりすることがあり、うまく釣ることができないという課題もあった。
【０００７】
今般、本願発明者は鋭意検討を行った結果、ヤエンの本体部に特定の形態の釣り糸通し部を３つ立設するとともに、特定の釣り糸通し部（第三釣り糸通し部）がヤエンの重心となるように構成することによって、ヤエンをスムースに海中のイカまで投入することができ、また従前のイカ釣り用ヤエンよりもイカの釣り上げ動作（合わせ動作）を容易なものとすることができるイカ釣り用ヤエンを得ることができるという知見を得た。
【０００８】
本発明は、上記した従来の問題点に鑑みてなされたものであって、新規なイカ釣り用ヤエンの提供を目的とするものである。
【課題を解決するための手段】
【０００９】
上記目的を達成するために、本発明の請求項１に係るイカ釣り用ヤエンは、釣り針を備える本体部と、本体部に立設した、釣り糸を通す開口を設けた釣り糸通し部を備え、釣り糸通し部は、本体部の中央部でかつ釣り針方向に傾斜して立設するとともに、上方部分の開口を下方部分の開口より小さくした第一釣り糸通し部と、本体部の後方部に立設した第二釣り糸通し部と、第一釣り糸通し部と第二釣り糸通し部の間に立設した第三釣り糸通し部によって構成されており、さらに第三釣り糸通し部に重心を有するものであることを特徴とする。
【００１０】
本発明の請求項２に係るイカ釣り用ヤエンは、上方部分の開口は、釣り糸に設けた係止体を通過させないものであることを特徴とする。
【００１１】
本発明の請求項３に係るイカ釣り用ヤエンは、第一釣り糸通し部は、上方部分がさらに立ち上がるように傾斜しているものであることを特徴とする。
【００１２】
本発明の請求項４に係るイカ釣り用ヤエンは、第三釣り糸通し部の立設高さが、第一釣り糸通し部および第二釣り糸通し部の立設高さよりも低いことを特徴とする。
【００１３】
本発明の請求項５に係る第三釣り糸通し部の立設位置が、第一釣り糸通し部と第二釣り糸通し部の中間位置よりも第一釣り糸通し部寄りに位置するものであることを特徴とする。
【発明の効果】
【００１４】
本発明のイカ釣り用ヤエンによれば、本体部の中央部から後方にかけて３つの釣り糸通し部を設け、最も前方に位置する第一釣り糸通し部を釣り針方向に傾斜して立設しているので、ヤエンをイカに到達させて釣り糸を緩めた際（ヤエンの海中における角度が平らな状態となった際）に、第一釣り糸通し部の開口が釣り糸の伸びている方向に沿って位置することになり、係止体をより確実に係止することができる。
【００１５】
また、本発明のイカ釣り用ヤエンは、第一釣り糸通し部の後方に立設した第三釣り糸通し部に重心を有しているので、係止体が第一釣り糸通し部の上方に係止した際（第一釣り糸通し部を支点として釣り糸にぶら下がる状態となった際）に第一釣り糸通し部よりも後方が重くなることから、ヤエンの前方（釣り針を設けた部分）が確実に持ち上がることになり、合わせ動作を行うことなく、容易かつ確実にイカを引っ掛けて釣り上げることができる。
【００１６】
本発明の請求項２に係るイカ釣り用ヤエンによれば、上方部分の開口が釣り糸に設けた係止体を通過させないものとなっているので係止体を第一釣り糸通し部の開口により確実に係止することができる。
【００１７】
本発明の請求項３に係るイカ釣り用ヤエンによれば、第一釣り糸通し部の上方部分を立ち上がるように傾斜した構造としているので、釣り糸を緩めた際（ヤエンの海中における角度が平らな状態となった際）、図５に示すように、緩んだ状態の釣り糸の進行方向に沿って第一釣り糸通し部の開口が位置することに加えて、第一釣り糸通し部の上方部分の狭い開口と釣り糸とが交差する部分においては開口が釣り糸に対して直交するに近い角度で位置するようになることから、係止体を第一釣り糸通し部の開口により確実に係止することができる。
【００１８】
本発明の請求項４に係るイカ釣り用ヤエンによれば、第三釣り糸通し部の立設高さを第一釣り糸通し部および第二釣り糸通し部の立設高さよりも低くした構造としているので、イカ釣り用ヤエンを海中に投入した際、図３に示すようにイカ釣り用ヤエンが第三釣り糸通し部を主に用いることによって、釣り糸にぶら下がりながら海中を進んでいくことになる。従って、イカ釣り用ヤエンをイカの位置まですばやく到達させることができるとともに、係止体が他の釣り糸通し部（特に第一釣り糸通し部の上方部分の開口）に係止することを有効に防止することができる。
また、係る形態を採用することによって、釣り糸を緩めた際に図５に示すように釣り糸の進行方向（状態）をより第一釣り糸通し部の開口に沿った状態にできることから、係止体を第一釣り糸通し部の開口により確実に係止することができる。
【００１９】
本発明の請求項５に係るイカ釣り用ヤエンによれば、第三釣り糸通し部の立設位置を第一釣り糸通し部と第二釣り糸通し部の中間位置よりも第一釣り糸通し部側に位置する構造としているので、釣り糸を緩めた際に図５に示すように釣り糸の進行方向（状態）をより第一釣り糸通し部の開口に沿った状態にすることができ、係止体を第一釣り糸通し部の開口により確実に係止することができる。
【図面の簡単な説明】
【００２０】
【図１】本発明のイカ釣り用ヤエンの一の実施形態を示す模式図（図１（ａ）は側面図、図１（ｂ）は平面図）である。
【図２】図１の釣り糸通し部の立設状態を示す模式図である。
【図３】図１のイカ釣り用ヤエンを海中に投入する際の状態を示す模式図である。
【図４】図１のイカ釣り用ヤエンがイカに到達した状態を示す模式図である。
【図５】図４の状態から釣り糸を緩めた状態を示す模式図である。
【図６】図５の状態から係止体が第一釣り糸通し部の開口に係止した状態を示す模式図である。
【図７】図６の状態からヤエンの前方が持ち上がって（ヤエンの後方が沈み込んで）釣り針がイカに引っ掛かった状態を示す模式図である。
【図８】特許文献１のヤエンがイカに到達した状態を示す模式図である。
【図９】図８の状態から釣り糸を緩めた状態を示す模式図（図９（ａ）は結び目が釣り糸通し部の上方に設けられている狭い開口（２ｂ）にうまく導かれない（係止しない）状態を示す模式図、図９（ｂ）は結び目が開口（２ｂ）に係止せずにヤエンがイカから離れている状態を示す模式図）である。
【発明を実施するための形態】
【００２１】
本発明の実施形態を図面に基づいて説明する。なお、以下に述べる実施形態は本発明を具体化した一例に過ぎず、本発明の技術的範囲を限定するものでない。図１は本発明のイカ釣り用ヤエンの一の実施形態を示す模式図（図１（ａ）は側面図、図１（ｂ）は平面図）であり、図２は図１の釣り糸通し部の立設状態を示す模式図である。
【００２２】
（基本構造）
まず、本発明のイカ釣り用ヤエンの基本構造を図１に基づいて説明する。
本発明のイカ釣り用ヤエン１は、図１に示すように、複数の釣り針２を設けた本体部３に３つに釣り糸通し部４を立設した構成となっているものである。
なお、図１に記載のイカ釣り用ヤエン１には設けていないが、必要に応じて錘などを備えることも可能である。
【００２３】
次に、各構成要件について説明する。
【００２４】
（本体部）
本発明に用いられる本体部３は、上記のとおり、複数の釣り針２を設けるとともに３つの釣り糸通し部４（４ａ、４ｂ、４ｃ）を立設した構造とするものである。
【００２５】
釣り針２の形態については特に限定されるものではなく、図１、２に示すような直線状に配置する形態の他、本体部３の前方部分を二股状（コの字状、Ｙ字状、Ｕ字状など）や三股状などの複数に枝分かれした形状にして、係る枝分かれ部分に釣り針２を設けた形態とすることもできる。また、図１に示すように、本体部３を棒状部材５と本体部材６に分割する構造とすれば、必要に応じて様々な形状の釣り針２を使用することができるので好適である。
【００２６】
本体部３の形態についても特に限定されるものではなく、各種の構造を採用することができ、最も単純な構造としてはステンレスなどの金属棒に釣り針２と釣り糸通し部４（４ａ、４ｂ、４ｃ）を溶接などによって直接取り付けた構造としたものが挙げられる。
そして各種の構造の中でも、上記のとおり、本体部３を釣り針２を設けた棒状部材５と釣り糸通し部４を立設した本体部材６に分割して、係る棒状部材５と本体部材６を連結機構７によって連結する構造とすれば、必要に応じて様々な形状の棒状部材５に交換することで様々な形態の釣り針２を使用することができ、また必要に応じて釣り針部材の長さ（またはイカ釣り用ヤエン自体の長さ）も変更することができるので好適である。
【００２７】
本体部３の材質についても特に限定されるものではなく、各種の金属やプラスチックなどを用いることができる。なお、本体部３を棒状部材５と本体部材６に分割して連結機構７によって連結する構造とする場合には、棒状部材５に用いる材質と本体部材６に用いる材質に弾性率（ヤング率）の異なる材質を用いれば、イカを効率よく引っ掛けることができるので好適である。
【００２８】
（釣り糸通し部）
本発明の釣り糸通し部４は、図１、２に示すとおり、本体部３に３箇所立設されているものであり、詳しくは本体部３の中央部でかつ釣り針方向に傾斜して立設するとともに、上方部分の開口８ａを下方部分の開口８ｂより小さくした第一釣り糸通し部４ａと、本体部３の後方部に立設した第二釣り糸通し部４ｂと、第一釣り糸通し部４ａと第二釣り糸通し部４ｂの間に立設した第三釣り糸通し部４ｃによって構成されているものである。
【００２９】
このように、各釣り糸通し部４を特定の形状とし、特定の位置に立設した形態とすることによって、ヤエンを海中に投入してイカに到達させて釣り糸を緩めた際（ヤエンの海中における角度が平らな状態となった際）に、第一釣り糸通し部４ａの開口８が釣り糸の伸びている方向に沿って位置することになり、釣り糸に設けた結び目などの係止体をより確実に係止することができることになるのである。
すなわち、特許文献１のヤエンでは、釣り糸を緩めた際（ヤエンの海中における角度が平らな状態となった際）、図９（ａ）に示すように、釣り糸が釣り糸通し部と直交するような位置関係（釣り糸が釣り糸通し部の開口のある決まった一点でのみ交差する位置関係）となってしまうことから、釣り糸が釣り糸通し部の上方に設けられている狭い開口（特許文献１の２ｂ）を通過しない場合には結び目が狭い開口（特許文献１の２ｂ）に係止しないことになり、その結果、図９（ｂ）のようにヤエンがイカから遠ざかってしまう場合があるのである。一方、本発明のイカ釣り用ヤエンによれば、第一釣り糸通し部４ａが釣り針方向に傾斜して立設しているので、釣り糸を緩めた際（ヤエンの海中における角度が平らな状態となった際）でも、図５に示すように緩んだ状態の釣り糸の進行方向に沿って第一釣り糸通し部４ａの開口８が位置することになることから、係止体が第一釣り糸通し部４ａの開口８を形成するリング状の環の縁に当たりながら係る開口８の上方に設けられている狭い開口（上方部分の開口８ａ）に導かれるようになり、その結果、図６に示すように、係止体を第一釣り糸通し部４ａに確実に係止することができるのである。
【００３０】
なお、第一釣り糸通し部４ａの傾斜角度としては、本体部３に対して２０〜４０°であることが好ましく、その中でも２５〜３５°であることが好ましい。
【００３１】
また、本発明のイカ釣り用ヤエンは、第一釣り糸通し部４ａの後方に立設した第三釣り糸通し部４ｃの立設位置に重心を有しているので、上記のように係止体が第一釣り糸通し部４ａの上方部分の開口８ａに係止した際（第一釣り糸通し部４ａを支点として釣り糸にぶら下がる状態となった際）には、第一釣り糸通し部４ａよりも後ろの部分が重くなることになる。
さらに、本発明のイカ釣り用ヤエンは、上記のとおり、第一釣り糸通し部４ａが釣り針方向に傾斜して立設していることから、特許文献１のように第一釣り糸通し部が直立している場合に比べて、係止体が係止する上方部分の開口８がイカ釣り用ヤエン１の重心（第三釣り糸通し部４ｃの立設位置）からより離れた位置となり、イカ釣り用ヤエン１は確実に後方が重くなることとなる。
従って、後記する図７に示すように、イカ釣り用ヤエン１の前方（釣り針を設けた部分）が確実に持ち上がるようになり、合わせ動作を行うことなく、容易かつ確実にイカを引っ掛けて釣り上げることができるのである。
【００３２】
また、釣り糸通し部４は、さらに１）〜４）に記載した特定の形態とすれば様々な効果を発現させることができるので好適である。
１）第一釣り糸通し部４ａの開口８を下方部分の開口８ｂから上方部分の開口８ａに向かって徐々に細くなる形態とすることによって、係止体を上方部分の開口８ａにより確実に導くことができ、より確実に係止することができる。
２）第三釣り糸通し部４ｃを第一釣り糸通し部４ａと同様に前方に傾斜した形態とすることによって、釣り糸を緩めた際、釣り糸が伸びる方向をより第一釣り糸通し部４ａの開口８に沿った方向とすることができ、係止体を第一釣り糸通し部４ａの開口８により確実に係止することができる。
なお、第三釣り糸通し部４ｃの傾斜角度としては、本体部３に対して１０〜４０°であることが好ましく、その中でも１５〜２５°であることが好ましい。
３）第一釣り糸通し部４ａの上方部分をさらに立ち上がるように傾斜する形態とすることによって、釣り糸を緩めた際（ヤエンの海中における角度が平らな状態となった際）、図５に示すように、緩んだ状態の釣り糸の進行方向に沿って第一釣り糸通し部４ａの開口８が位置することに加えて、釣り糸と第一釣り糸通し部４ａの開口８が交差する部分においては釣り糸と開口８が直交するに近い角度で位置するようになり、係止体を第一釣り糸通し部４ａにより確実に係止することができる。
なお、立ち上り部分の傾斜角度としては、第一釣り糸通し部４ａに対して２０〜４０°であることが好ましく、その中でも２５〜３５°であることが好ましい。
４）第三釣り糸通し部４ｃの立設高さを第一釣り糸通し部４ａおよび第二釣り糸通し部４ｂよりも低くなる形態とすることによって、イカ釣り用ヤエン１を海中に投入した際、図３に示すようにイカ釣り用ヤエン１が第三釣り糸通し部４ｃを主に用いることによって釣り糸にぶら下がりながら海中を進んでいくことになり、その結果、係止体が他の釣り糸通し部（特に第一釣り糸通し部４ａの上方部分の開口８ａ）に係止することなく、イカ釣り用ヤエン１をイカの位置まですばやく到達させることができる。なおこの際（イカ釣り用ヤエン１を海中に投入した際）においては、イカ釣り用ヤエン１が第三釣り糸通し部４ｃのみを使って釣り糸１７にぶら下がりながら海中を進んでいく状態となることが好ましい。
また、釣り糸を緩めた際に、図５に示すように第一釣り糸通し部４ａの開口８をより確実に緩んだ状態の釣り糸の進行方向に沿って位置させることができることから、係止体を第一釣り糸通し部４ａにより確実に係止することができる。
なお、第三釣り糸通し部４ｃの立設高さとしては、第一釣り糸通し部４ａの立設高さの０．３〜０．７倍であることが好ましく、その中でも０．４〜０．６倍であることが好ましい。
５）第三釣り糸通し部４ｃの立設位置を第一釣り糸通し部４ａと第二釣り糸通し部４ｂの中間位置にするのではなく、第一釣り糸通し部４ａの後部（第一釣り糸通し部４ａと第二釣り糸通し部４ｂの中間位置よりも第一釣り糸通し部４ａ寄りの位置）に立設することによって、第一釣り糸通し部４ａの開口８をより確実に緩んだ状態の釣り糸の進行方向に沿って位置させることができ、係止体を第一釣り糸通し部４ａにより確実に係止することができる。
なお、第三釣り糸通し部４ｃの立設位置としては、第一釣り糸通し部４ａと第二釣り糸通し部４ｂの間の距離を１とした場合に、第一釣り糸通し部４ａから第三釣り糸通し部４ｃまでの距離を第一釣り糸通し部４ａの後方でかつ０．０５〜０．１５の距離とするとすることが好ましく、その中でも第一釣り糸通し部４ａの後方でかつ０．０５〜０．１０の距離とするとすることが好ましい。
【００３３】
なお、釣り糸通し部４の材質についても、本体部３と同様に特に限定されるものではなく、各種の金属やプラスチックなどを用いることができる。
【００３４】
（連結機構）
本発明のイカ釣り用ヤエン１の本体部３を棒状部材５と本体部材６に分割して連結機構７を採用する場合、連結機構７の形態は棒状部材５と本体部材６を連結することができるものであれば特に限定されるものではなく、各種の嵌合構造や螺合構造などを採用することができる。
そしてその中でも、図１、２に示すように、本体部材６の前方に設けた第一連結部材９と本体部材６の後方に設けた第二連結部材１０によって構成し、さらに第一連結部材９と第二連結部材１０を以下の形態とすることが好ましい。
１）第一連結部材９または第二連結部材１０のいずれか一方を本体部材６に固定し、固定しない他方の連結部材を本体部材６に沿って前後に移動可能な形態とする（なお、図１、２においては第一連結部材９が本体部３に固定され、第二連結部材１０が本体部３に沿って前後に移動する形態となっている）。
２）第一連結部材９および第二連結部材１０を、棒状の本体部材６を挿入することができる第一筒状部材１１と棒状部材５を挿入することができる第二筒状部材１２を上下に並列に連結した形態とする．
このように、連結機構７に筒状部材を用いた特定の形態とした連結部材を２つ用い、さらに一方の連結部材を固定して他方の連結部材を移動可能とすることによって、１つの本体部材６で必要に応じて様々な形状の釣り針２（棒状部材５）を本体部３に容易に連結させることができ、また釣り針２（棒状部材５）の長さ（またはイカ釣り用ヤエン自体の長さ）を容易に変更することができることになるのである。
【００３５】
また、第一連結部材９および第二連結部材１０については、上記１）および２）の形態に加えて、さらに以下の３）、４）の一方または両方の形態を採用することが好ましい。
３）第二連結部材１０の第一筒状部材１１ｂと第二筒状部材１２ｂを離間させた状態で上下に並列に連結した形態、具体的には第一筒状部材１１ｂと第二筒状部材１２ｂをスペーサー１３で連結した形態とする。
４）第二連結部材１０の第一筒状部材１１ｂおよび／または第二筒状部材１２ｂの筒径を、第一連結部材９の第一筒状部材１１ａおよび第二筒状部材１２ａの筒径よりも大きい形態とする。
このように、第一連結部材９および第二連結部材１０をさらに特定の形態とすれば、後記するように棒状部材５を本体部材６に連結した後に棒状部材５と本体部材６との間に隙間Ｓができることになる。そして、係る隙間Ｓが生じることによって棒状部材５がしなり、棒状部材５に下向きの力が発生することになり、棒状部材５を本体部材６により強固に連結させることができる（棒状部材５を連結機構７から抜けにくくすることができる）のである。
【００３６】
なお、連結機構７を設ける場合には釣り糸通し部４の立設位置と異なる位置に設けることが好ましい。
【００３７】
また、図１、２に示すように、第一釣り糸通し部４ａについては本体部材６の先端部に連結した形態（後記する第一連結部材９を構成する第一筒状部材１１ａを、第一釣り糸通し部４ａと本体部材６の先端との連結材として用いる形態）とし、第一釣り糸通し部４ａの後部に立設する第二釣り糸通し部４ｂと第三釣り糸通し部４ｃについては、二つの筒状部材を上下に並列に連結した連結材１４（１４ａ、１４ｂ、１４ｃ）を用いて本体部材６に連結する形態とすれば、釣り糸通し部４（４ａ、４ｂ、４ｃ）を容易に本体部材６に設置（立設）することができるので好適である。
【００３８】
さらに、第二釣り糸通し部４ｂについては、図１、２に示すように、第三釣り糸通し部４ｃの土台部分１５（棒状部分）を長くして連結材１４ｂ、１４ｃを用いて本体部材６に連結する形態とすれば、１）本体部３の強度の向上を図ることができる、２）イカ釣り用ヤエン１の重心調整（第三釣り糸通し部４ｃに重心を持っていくこと）を容易に行うことができる、３）後記するスライド部材１６を差し込み易くすることができる、４）スライド部材１６の移動（スライド）距離を長く取ることができることによってイカ釣り用ヤエン１の重心調整（重心を第三釣り糸通し部４ｃに持っていくこと）をより容易に行うことができる、などの様々な効果を発現させることができるので好適である。
【００３９】
また、本体部材６の後端部については、図１、２に示すように、先端部が狭くなっている長Ｕ字状のスライド部材１６を用意し、係るスライド部材１６を連結材１４ｂおよび１４ｃを構成する二つの筒状部材の連結部分（くびれ部分）に挿入する構造とすれば、スライド部材１６を、連結材１４ｂ、１４ｃを構成する二つの筒状部材の連結部分（くびれ部分）に差し込み、必要に応じて適宜移動（スライド）させるだけでイカ釣り用ヤエン１（棒状部材５を連結した後）の微妙な重心の調節を簡単に行うことができるので好適である。なお、図１、２に示す連結材１４ｂ、１４ｃは接触した状態となっているが、離した状態で設けることもできる。
【００４０】
次に、上記のように構成されたイカ釣り用ヤエン１の動作および作用を次に説明する。図３は図１のイカ釣り用ヤエンを海中に投入する際の状態を示す模式図であり、図４は図１のイカ釣り用ヤエンがイカに到達した状態を示す模式図であり、図５は図４の状態から釣り糸を緩めた状態を示す模式図であり、図６は図５の状態から結び目が第一釣り糸通し部の開口に係止した状態を示す模式図であり、図７は図６の状態からヤエンの前方が持ち上がって（ヤエンの後方が沈み込んで）釣り針がイカに引っ掛かった状態を示す模式図である。
【００４１】
まず、釣り糸１７の先に釣り針（図示せず）を取付け、係る釣り針に餌魚（図示せず）をつけて海中で泳がせる。なおこの際、釣り糸１７（具体的には餌魚から数ｃｍの位置）には結び目を作ったり、あるいは小さな虫ゴムや錘を設けたりすることによって、１つ以上の係止体１８を作っておく。
【００４２】
次に、餌魚に食いついたアタリの強弱によってイカの大きさを予測する。
【００４３】
次に、図１に示すように、アタリの強弱（イカの大きさ）に応じて最適な形状の棒状部材５（釣り針２）を選択し、連結機構７を用いて棒状部材５と本体部材６を連結してイカ釣り用ヤエン１を作製する。なおこの際、必要に応じて棒状部材５（釣り針２）の長さ（またはイカ釣り用ヤエン自体の長さ）を変更するとともに、本体部材６の後端部に装着したスライド部材１６を適宜移動（スライド）させることによって、棒状部材５の長さを適切にした状態におけるイカ釣り用ヤエン１の重心が第三釣り糸通し部４ｃに位置するように調節する。
【００４４】
次に、上記により作製したイカ釣り用ヤエン１の各釣り糸通し部４に釣り糸１７に通し、釣り糸１７を緊張状態にしてイカ釣り用ヤエン１を海中に投入する。
そうすると、本発明のイカ釣り用ヤエン１は適切な重心（バランス）となっていることから、イカ釣り用ヤエン１は、図３に示すように第三釣り糸通し部４ｃを主に用いることによって釣り糸１７にぶら下がりながら海中を進んでいくことになり、釣り糸１７の途中で止まってしまったりすることなく、図４に示すように餌に喰い付いているイカの位置まですばやく到達することになる。またこの際、釣り糸１７は図３、４に示すように第一釣り糸通し部４ａの下方部分の開口８ｂを通過することになるため、釣り糸１７に設けた係止体１８は第一釣り糸通し部４ａに引っかかることはなく、イカの位置まですばやく到達することになる。
【００４５】
次に、釣り糸１７を緩めて緊張状態を解放する。
そうすると、イカ釣り用ヤエン１は重心が第三釣り糸通し部４ｃに位置していることから本体部３の後方が下がる（イカ釣り用ヤエン１の後方が沈む）ことになり、イカ釣り用ヤエン１は、図５に示すように、イカの位置から離れて斜め下方に向かって後退し始めることになる。
【００４６】
ここで、本発明のイカ釣り用ヤエン１は、第一釣り糸通し部４ａを釣り針２方向に傾斜して立設していることから、第一釣り糸通し部４ａの開口８は釣り糸の伸びている方向に沿って位置することになる。また、図１のイカ釣り用ヤエン１は、第三釣り糸通し部４ｃの立設高さが第一釣り糸通し部４ａよりも低くなっていることから、このことからも釣り糸が伸びる方向をより第一釣り糸通し部４ａの開口８に沿った方向とすることができる。さらに、餌魚にはイカが食い付いていることから、釣り糸１９は餌魚方向に向かって引っ張られている、すなわち餌魚方向に向かって持ち上げられる状態となっていることからも、第一釣り糸通し部４ａの開口８は釣り糸の伸びている方向に沿って位置することになる。
従って、本発明のイカ釣り用ヤエン１は、斜め下方に向かって後退し始めても、係止体１８が第一釣り糸通し部４ａの開口８を形成するリング状部分の縁に当たりながら上方部分の開口８ａに導かれるようになる。そしてその結果、図６に示すように、係止体１８は第一釣り糸通し部４ａの上方部分の開口８ａに確実に係止することになり、イカ釣り用ヤエン１をイカの位置から後退させることなくそのままの位置で保持することができるのである。
【００４７】
次に、イカ釣り用ヤエン１は、第三釣り糸通し部４ｃの立設位置に重心を有しているので、図６のように係止体１８が第一釣り糸通し部４ａの上方部分の開口８ａに係止した際（第一釣り糸通し部４ａを支点として釣り糸にぶら下がる状態となった際）には、係止した部分を支点として後方が重くなることになることから、イカ釣り用ヤエン１の前方（釣り針２を設けた部分）が持ち上がるようになる。
また、本発明のイカ釣り用ヤエンは、第一釣り糸通し部４ａが釣り針２方向に傾斜して立設していることから、係止体１８が係止する位置（上記の「支点」）はイカ釣り用ヤエン１の重心（第三釣り糸通し部４ｃの立設位置）からより離れた場所に位置となることになり、このことからもイカ釣り用ヤエン１は確実に後方が重くなることとなる。
従って、本体部３の後方が下がる（イカ釣り用ヤエン１の後ろ部分が沈む）ことによってイカ釣り用ヤエン１の前方（釣り針２を設けた部分）が確実に持ち上がるようになり、図７に示すように、釣り針２がイカに刺さることになる。そうすると、イカはイカ釣り用ヤエン１から離れようと後方（イカ釣り用ヤエン１から見た場合には前方）に逃げようとするが、釣り針２がさらにイカに刺さることになるので、合わせ動作（釣竿をしゃくり上げたり、上下左右に動かす動作）を行うことなく、確実にイカを釣り上げることができることになる。
【００４８】
最後に、イカを海面まで釣り上げてタモ網などで回収して、イカ釣りを終了する。
【００４９】
なお、イカ釣り用ヤエン１に、図１に示す実施形態のヤエン（本体部３を棒状部材５と本体部材６に分割して連結機構７によって連結する形態のヤエン）を用いた場合には、イカをタモ網などで回収した際、イカが引っかかった状態の棒状部材５（釣り針２）のみを本体部材６から取り外して本体部材６のみを取り急ぎ回収するとともに新たな餌魚（図示せず）を釣り針（図示せず）につけて海中に投入して泳がせことで時間の短縮を図ることができる。
また、投入した餌魚にイカがすぐ食いついた場合には、本体部材６に新たな棒状部材５（釣り針２）を連結して［００４２］〜［００４７］と同様の動作を行うことで時間の短縮を行い、釣果を向上させることができる。
また、投入した餌魚にイカがすぐ食いつかずアタリを待つ時間がある場合には、釣り上げたイカに引っかかっている棒状部材５（釣り針２）をゆっくりと外すことができるため、イカを傷つけることを防止することができる。
【００５０】
以上のとおり、本発明のイカ釣り用ヤエンは、従来のイカ釣り用ヤエンにはない様々な技術的効果を発現させることができる。
【産業上の利用可能性】
【００５１】
本発明のイカ釣り用ヤエンはイカ釣りに用いることができる。
【符号の説明】
【００５２】
１    イカ釣り用ヤエン
２    釣り針
３    本体部
４    釣り糸通し部
４ａ    第一釣り糸通し部
４ｂ    第二釣り糸通し部
４ｃ    第三釣り糸通し部
５    棒状部材
６    本体部材
７    連結機構
８    開口
８ａ  上方部分の開口
８ｂ  下方部分の開口
９  第一連結部材
１０  第二連結部材
１１  第一筒状部材
１１ａ  第一筒状部材
１１ｂ  第一筒状部材
１２  第二筒状部材
１２ａ  第二筒状部材
１２ｂ  第二筒状部材
１３  スペーサー
１４  連結材
１４ａ  連結材
１４ｂ  連結材
１４ｃ  連結材
１５  土台部分
１６  スライド部材
１７  釣り糸
１８  係止体
Ｓ    隙間
【図１】
2018183086.tif 000003
【図２】
2018183086.tif 000004
【図３】
2018183086.tif 000005
【図４】
2018183086.tif 000006
【図５】
2018183086.tif 000007
【図６】
2018183086.tif 000008
【図７】
2018183086.tif 000009
【図８】
2018183086.tif 000010
【図９】
2018183086.tif 000011